(57)【要約】【課題】フェンスの保持力を大として、がた付きや脱落等を防止する。【解決手段】板状フェンス１６が嵌合された支持部材１７の前側の上向保持片１７ａを、手摺部１４の後面に当接させて固定するとともに、後側の上向保持片１７ａの後面を、外ケース３の後面に固着されたブラケット１１の上端に設けた押え金具２１の押圧片２１ｂにより押圧する。【選択図】  図２
2004209051.tif 000002
【特許請求の範囲】
【請求項１】
少なくとも前面が開放された外ケースと内ケースにおける前端下部の開口縁に、左右方向を向く手摺部を設け、該手摺部に設けた側面視上向きコ字状断面をなす支持部材における前後の上向保持片間に、板状フェンスの下端部を嵌合して立設させてなる冷蔵オープンショーケースにおいて、
前記支持部材の前側の上向保持片を、前記手摺部の後面に当接させて固定するとともに、後側の上向保持片の後面を、前記支持部材の下方において前記外ケースの後面に左右方向に所定間隔おきに固着された、前記内ケースの内装パネル取付用のブラケットの上端に設けた押え部材の前面により押圧したことを特徴とする冷蔵オープンショーケース。
【請求項２】
ブラケットの上部に、支持部材における後側の上向保持片と平行に対向する取付片を突設するとともに、押え部材の前後両端に、それぞれ前記後側の上向保持片の後面に当接可能な押圧片と、前記取付片に当接可能な垂直片とを設け、該垂直片をねじにより取付片に固定することにより、前記押圧片を後側の上向保持片の後面に圧接するようにした請求項１に記載の冷蔵オープンショーケース。
【請求項３】
支持部材の後側の上向保持片の後面上部に、左右方向を向き、かつ上端が開口する嵌合溝を設け、該嵌合溝に、ブラケットに固定される内装パネルの上端前縁に形成された下向きの係合片を嵌合した請求項１または２に記載の冷蔵オープンショーケース。
【請求項４】
内装パネルの上端後部の角部と、それに対向する押え部材の上面とに、互いに当接する後傾状の傾斜面を設けた請求項１ないし３のいずれかに記載の冷蔵オープンショーケース。
【請求項５】
支持部材を少なくとも後側の上向保持片が前後方向に弾性変形可能な合成樹脂により形成した請求項１ないし４のいずれかに記載の冷蔵オープンショーケース。
【発明の詳細な説明】
【０００１】
【発明の属する技術分野】
本発明は、冷凍食品や生鮮食料品を保冷する冷蔵オープンショーケースに係り、特に、前端下部の開口縁の左右方向を向く手摺部に立設された板状フェンスの取付構造に関する。
【０００２】
【従来の技術】
スーパーマーケット等で使用される前面開放型の冷蔵オープンショーケースの中には、その前端下部の開口縁における左右方向を向く手摺部（ハンドレール）に、フェンス（フロントガラス）を立設したものがある（例えば特許文献１参照）。
【０００３】
【特許文献１】
特開平５−３０５０１８号公報（図１）
【０００４】
【発明が解決しようとする課題】
上述した特許文献１に記載されている従来の冷蔵オープンショーケースにおいて、フェンス（フロントガラス）は、ハンドレールの上部後面の段差部に載置した上向きコ字状断面をなすパッキンに嵌合して立設したのち、下端が内面材にねじ止めされた押え板の上端部により、パッキンの後面を押さえ付けて挟持しているだけであるため、フェンスに後向きの力が加わると、押え板が後方に撓んで、パッキンが拡開し、フェンスにがた付きが生じたり、最悪の場合には、フェンスがパッキンより外れて後方に脱落する恐れがある。
【０００５】
本発明は、上記問題点を解決するためになされたもので、フェンスの保持力を大として安定的に固定し、がた付きや脱落等を防止し得るようにした冷蔵オープンショーケースを提供することを目的としている。
【０００６】
【課題を解決するための手段】
上記目的を達成するために、本発明の冷蔵オープンショーケースは、少なくとも前面が開放された外ケースと内ケースにおける前端下部の開口縁に、左右方向を向く手摺部を設け、該手摺部に設けた側面視上向きコ字状断面をなす支持部材における前後の上向保持片間に、板状フェンスの下端部を嵌合して立設させてなる冷蔵オープンショーケースにおいて、前記支持部材の前側の上向保持片を、前記手摺部の後面に当接させて固定するとともに、後側の上向保持片の後面を、前記支持部材の下方において前記外ケースの後面に左右方向に所定間隔おきに固着された、前記内ケースの内装パネル取付用のブラケットの上端に設けた押え部材の前面により押圧したことを特徴としている。
上記構成の本発明によれば、板状フェンスは、手摺部の後面と当接して前方への動きが阻止された前側の上向保持片と、後面が押え部材により水平方向に押圧された後側の上向保持片との間に嵌合されて立設しているので、板状フェンスに前後方向の強い力が加わっても、両上向保持片が拡開する恐れはなく、板状フェンスは安定的に保持される。
【０００７】
上記ショーケースにおいて、ブラケットの上部に、支持部材における後側の上向保持片と平行に対向する取付片を突設するとともに、押え部材の前後両端に、それぞれ前記後側の上向保持片の後面に当接可能な押圧片と、前記取付片に当接可能な垂直片とを設け、該垂直片をねじにより取付片に固定することにより、前記押圧片を後側の上向保持片の後面に圧接するようにするのが好ましい。
このようにすると、後側の上向保持片の後面を、水平方向より簡単な手段で強く押圧することができる。
【０００８】
上記ショーケースにおいて、支持部材の後側の上向保持片の後面上部に、左右方向を向き、かつ上端が開口する嵌合溝を設け、該嵌合溝に、ブラケットに固定される内装パネルの上端前縁に形成された下向きの係合片を嵌合するのが好ましい。
このようにすると、後側の上向保持片の上端部後面も、内装パネルの下向きの係合片によって保持されるので、板状フェンスの保持力がより大きくなる。
【０００９】
上記ショーケースにおいて、内装パネルの上端後部の角部と、それに対向する押え部材の上面とに、互いに当接する後傾状の傾斜面を設けるのが好ましい。
このようにすると、支持部材、内装パネル及び押え部材が、互いに連係し合って一体となるため、板状フェンスをより強固に固定することができる。
【００１０】
上記ショーケースにおいて、支持部材を少なくとも後側の上向保持片が前後方向に弾性変形可能な合成樹脂により形成するのが好ましい。
このようにすると、後側の上向保持片を押え部材により押圧する際に、前方に撓み易くなるため、小さな押圧力でも、板状フェンスの保持力が大となる。
【００１１】
【発明の実施の形態】
以下、本発明の実施形態を図面に基づいて説明する。
【００１２】
図１は、本発明の冷蔵オープンショーケースの縦断側面図、図２は、同じく前端下部開口縁における板状フェンス取付部の拡大断面図、図３は、フェンス取付部材の分解斜視図である。
【００１３】
図１において、冷蔵オープンショーケース（以下、ショーケースと略称する）１は、基台２上に載設された前上面（以下、図１の左方を前として説明する）が開放された断熱性の外ケース３と、その内方に離間して設けられた内ケース４とを備え、それらの間には、冷気の循環路５が形成されている。
【００１４】
循環路５の上端前部には、冷気の吹出口６が形成されている。外ケース３と内ケース４との間における底部の循環路５内には、熱交換器７が、またその前方の隔壁８には、送風機９が、それぞれ設けられている。
【００１５】
ショーケース１前端の上下方向を向く内ケース４の内面の上端部には、図３に示すように、循環路５内に連通する多数の吸引口１０を有する、内装パネルとしての吸込みパネル１１が取付けられ、吹出口６より吹き出された冷気と内ケース４内の暖められた冷気を吸引し得るようになっている。
【００１６】
上方の吹出口６より吸込みパネル１１に向かって冷気が吹き出されることにより、ショーケース１の前面にエアカーテンを形成するとともに、一部の冷気が内ケース４内に流入して、それに取付けた棚板１２上の商品が保冷される。
【００１７】
ショーケース１の前端の開口部の上縁には、図２に拡大して示すように、縁モール１３よりなる手摺部１４が、左右方向に全長に亘って設けられ、その後部、すなわち外ケース３と内ケース４との間には上端部にカバーキャップ１５が嵌合された、ガラス又はアクリル板等よりなる透明の板状フェンス１６が、次のような部材により取付けられている。
【００１８】
縁モール１３の後面には、互いに対向する前後１対の上向保持片１７ａ、１７ａを有する側面視ほぼ上向きコ字状をなす合成樹脂製の支持部材１７が、その前側の上向保持片１７ａ下端縁に下向きに突設された取付片１７ｂを、外ケース３の後面に、複数のネジ１８により取付けることにより、上記板状フェンス１６の下端部を嵌合した状態で垂直に固定されている。なお、後側の上向保持片１７ａは、前後方向に弾性変形し得るようになっている。
【００１９】
支持部材１７の下方の外ケース３の後面には、上記吹込みパネル１１取付用の複数のブラケット１９が、左右方向に所定間隔おきに、ネジ１８により取付けられている。
【００２０】
ブラケット１９は、図３に示すように、平面視Ｌ字状の基片１９ａの上端部を除いた前端縁に、外ケース３の後面に前面が当接可能な外向きの固定片１９ｂを有するとともに、基片１９ａの上端縁のほぼ前半部に内向きの水平片１９ｃを有し、さらに、この水平片１９ｃの後端縁に上向きの取付片１９ｄを一体的に形成して構成され、固定片１９ｂの上端を上記支持部材１７の取付片１７ｂの直下に位置させた状態で、その上下両端部の通孔２０に挿入したネジ１８を、外ケース３の後面に螺挿することにより、ブラケット１９は、支持部材１７における両上向保持片（１７ａ）の下方に位置するようにして、外ケース３の後面に固定されている。また、各ブラケット１９の基片１９ａの後面には、吸込みパネル１１がネジ１８により固定されている（図２参照）。
【００２１】
２１は、前面と下面及び内方の側面が開口された押え金具で、外方の側片２１ａの前端縁の中央部には、内方に折曲された押圧片２１ｂが一体的に形成されている。また、押え金具２１の上面は、上記吸込みパネル１１における上端後部の角部に形成された傾斜部１１ａと同じ角度で後傾する傾斜面２２となっている。押え金具２１は、その後端の垂直片２１ｃの前面を上記ブラケット１９の取付片１９ｄの後面に当接させて、垂直片２１ｃの通孔２０より挿入したネジ１８を、取付片１９ｄの雌ネジ孔２３に螺合することにより、各ブラケット１９の上端に固定されている。
【００２２】
この固定時において、図２に示すように、押圧片２１ｂの前面が支持部材１７の後側の上向保持片１７ａの上下方向のほぼ中間部に圧接するとともに、吸込みパネル１１を取付けた際に、その傾斜部１１ａの内面に、傾斜面２２が当接するようになっている。
【００２３】
支持部材１７の後側の上向保持片１７ａの後面上部には、側面視ほぼ逆Ｌ字状の係止片２４が一体成形され、この係止片２４と後側の上向保持片１７ａとの間の嵌合溝Ｓには、吸込みパネル１１の上端に下向きに折曲された係合片１１ｂが嵌合され、吸込みパネル１１の上端が前後にぐら付くのを防止するとともに、支持部材１７の後側の上向保持片１７ａの上端部が後方に撓むのを押さえている。
【００２４】
以上説明したように、上記実施形態のショーケース１において、板状フェンス１６の下端部を支持している支持部材１７における前側の上向保持片１７ａは、手摺部１４の後面、すなわち縁モール１３の後面に当接し、かつ後側の上向保持片１７ａの後面の中央部には、その後方においてブラケット１９の上向きの取付片１９ｄにネジ止めされた押え金具２１の押圧片２１ｂが圧接しているため、板状フェンス１６に前後方向の強い力が加わっても、支持部材１７の両上向保持片１７ａが拡開することはなく、板状フェンス１６にがた付きが生じたり、支持部材１７より外れて脱落したりする恐れをなくすことができ、強固に、かつ安定的に保持される。
【００２５】
なお、上記実施形態においては、ブラケット１１と押え金具２１とを別体として、それらをネジ１８により固定しているが、ブラケット１１の上端に、少なくとも押圧片２１ｂを有する押え金具を一体的に形成することもできる。
【００２６】
本発明は、上面が開放された平型の冷蔵オープンショーケースにも適用することができる。
【００２７】
【発明の効果】
本発明によれば、次のような効果が得られる。
【００２８】
（ａ）請求項１に記載の発明によれば、板状フェンスが嵌合された支持部材は、その前後の上向保持片が手摺部の後面と、押え部材とにより内向きに押圧され、板状フェンスを強固に保持するため、該板状フェンスにがた付きが生じたり、支持部材より脱落したりするのが確実に防止される。
【００２９】
（ｂ）請求項２に記載の発明によれば、後側の上向保持片の後面を、水平方向より簡単かつ強く押圧することができる。
また、押え部材のみを取外して、板状フェンスの交換等を容易に行うことができる。
【００３０】
（ｃ）請求項３に記載の発明によれば、後側の上向保持片の上端部後面も、内装パネルの下向きの係合片により保持されるので、板状フェンスはより強固に保持されるようになる。
【００３１】
（ｄ）請求項４に記載の発明によれば、支持部材、内装パネル及び押え部材が互いに連係し合って一体となるので、板状フェンスの保持力がより増大する。
【００３２】
（ｅ）請求項５に記載の発明によれば、後側の上向保持片の後面を押え部材により押圧すると、前方に容易に撓むので、小さな押圧力でも、板状フェンスの保持力が大となる。
また、緩衝作用により、板状フェンスの破損等が防止される。
【図面の簡単な説明】
【図１】本発明の冷蔵オープンショーケースの縦断側面図である。
【図２】同じく、前端下部開口縁の板状フェンス取付部の拡大縦断側面図である。
【図３】フェンス取付部材の分解斜視図である。
【符号の説明】
１                    ショーケース
２                    基台
３                    外ケース
４                    内ケース
５                    循環路
６                    吹出口
７                    熱交換器
８                    隔壁
９                    送風機
１０                  吸引口
１１                  吸込みパネル（内装パネル）
１１ａ                傾斜部
１１ｂ                係合片
１２                  棚板
１３                  縁モール
１４                  手摺部
１５                  カバーキャップ
１６                  板状フェンス
１７                  支持部材
１７ａ                上向保持片
１７ｂ                取付片
１８                  ネジ
１９                  ブラケット
１９ａ                基片
１９ｂ                固定片
１９ｃ                水平片
１９ｄ                取付片
２０                  通孔
２１                  押え金具（押え部材）
２１ａ                側片
２１ｂ                押圧片
２２                  傾斜面
２３                  雌ネジ孔
２４                  係止片
Ｓ                    嵌合溝
【図１】
2004209051.tif 000003
【図２】
2004209051.tif 000004
【図３】
2004209051.tif 000005